(57)【特許請求の範囲】
【請求項１】
制御基板が収納された基板ボックスを備え、
前記基板ボックスは、設置時の状態で遊技者側を前、反対側を後としたとき、
前側に位置する前面板に側壁を突設して後面開放状にしたベース体と、
後側に位置する後面板に側壁を突設して前面開放状となし前記ベース体に嵌め合わせて接合される蓋体と、
前記ベース体と前記蓋体とを接合した状態で境界部を跨ぐように貼着して封印する封印シールと、
装着状態で前記封印シールを覆うと共にガイド手段によって取外し方向が所定の摺動方向に規制されたカバー部材と、を有し、
前記基板ボックスは、
前記封印シールの裏側対向位置に設けた格納部と、
該格納部内に前記カバー部材の取外し方向と同方向に摺動し得るように格納されたシール破断板と、を備えており、
該シール破断板は、
前記封印シールを横断する長さを有し且つ端縁になまくらな刃状部を設けてなる板状の主板部と、
該主板部に該主板部の前記刃状部と交差状に突設され且つ端縁になまくらな刃状部を設けてなる副板部と、を備えており、
前記格納部に格納した状態で連結手段により前記カバー部材に連結され、そうして該カバー部材に連動して前記取外し方向に摺動するようになし、さらにその摺動により前記封印シールを前記主板部と前記副板部の各刃状部で荒れた切り口で且つ各刃状部の封印シールまでの距離を異ならせることにより刃当たり時期をずらして交差状に破断して前記格納部から引き出されるようにしたことを特徴とする遊技機。
【発明の詳細な説明】
【技術分野】
【０００１】
本発明は、基板ボックスに制御基板が収納された制御装置を有する遊技機に関する。
【背景技術】
【０００２】
遊技球の入賞・非入賞で遊技を行うパチンコ機や、複数の数字や図柄の組み合わせで遊技を行うスロットマシン等の遊技機には、基板ボックスに制御基板を収納した制御装置が装備されている。そして、この制御装置によって遊技の大部分が制御されるようになっており、そのため近年では、その制御装置の基板ボックスを解体し、中の制御基板を不正者に有利な内容に変更したものに交換する、という手口の不正行為が問題になっていた。
しかして、かかる手口の不正行為を防止するため、前記ベース体と前記蓋体とを接合し、その両者の境界部を跨ぐように封印シールを貼って封印するようにしたものがある（例えば、特許文献１参照）。
【先行技術文献】
【特許文献】
【０００３】
【特許文献１】特開平９−２２５０９２号公報
【発明の概要】
【発明が解決しようとする課題】
【０００４】
上記のようにベース体と蓋体との間に封印シールを貼付して封印することにより一定の不正防止効果は得られるが、例えば不正者が溶剤等を使って封印シールを無傷の状態で剥がし、ベース体から蓋体を外して制御基板を不正なものに交換した後、蓋体を閉じて封印シールを元に戻す、という不正行為が起こり得る。
このような不正に対抗するため、封印シールをカバー部材で覆って該封印シールを防護するようにすればよいが、例えば、２つの同じ制御装置を入手し、一方は基板ボックスを破壊してカバー部材と封印シールを残し、他方はカバー部材と封印シールを破壊して基板ボックスを残し、そうして無傷のまま残した基板ボックスとカバー部材と封印シールとを組み合わせて痕跡のない制御装置を不正に作る、という新たな不正行為が起こり得る。
【０００５】
本発明は、上記に鑑みなされたもので、その目的は、優れた不正防止性能を有する制御装置を提供し、もって高い防犯性能を備えた遊技機を提供することにある。
【課題を解決するための手段】
【０００６】
上記の目的を達成するため本発明は、
制御基板が収納された基板ボックスを備え、
前記基板ボックスは、設置時の状態で遊技者側を前、反対側を後としたとき、
前側に位置する前面板に側壁を突設して後面開放状にしたベース体と、
後側に位置する後面板に側壁を突設して前面開放状となし前記ベース体に嵌め合わせて接合される蓋体と、
前記ベース体と前記蓋体とを接合した状態で境界部を跨ぐように貼着して封印する封印シールと、
装着状態で前記封印シールを覆うと共にガイド手段によって取外し方向が所定の摺動方向に規制されたカバー部材と、を有し、
前記基板ボックスは、
前記封印シールの裏側対向位置に設けた格納部と、
該格納部内に前記カバー部材の取外し方向と同方向に摺動し得るように格納されたシール破断板と、を備えており、
該シール破断板は、
前記格納部に格納した状態で連結手段により前記カバー部材に連結され、そうして該カバー部材に連動して前記取外し方向に摺動するようになし、さらにその摺動により前記封印シールを破断して前記格納部から引き出されるようにした遊技機を提供する。
【０００７】
なお、好ましくは前記封印シールは、
前記基板ボックスの略直交する角部に折曲げ状態で貼着され、
一方、前記シール破断板は、前記封印シールの折曲げ部沿いの部位を破断する位置に格納するのがよい。
【発明の効果】
【０００８】
本発明の遊技機は、封印シールを覆っているカバー部材を基板ボックスから外すと、そのカバー部材の取り外しに連動してシール破断板が格納部から引き出され、その際封印シールが破断されるため、封印シールを綺麗に剥がして貼り戻すという手口の不正行為が困難になる。よって制御装置の不正防止性能が向上し、惹いては遊技機の防犯性能が向上する。
【図面の簡単な説明】
【０００９】
【図１】制御装置を水平面に置いた状態を示す斜視図である。
【図２】制御装置を水平面に置いて反対側から見た状態を示す斜視図である。
【図３】制御装置を蓋体側から正視した状態を示す正面図である。
【図４】図３の下側から見た状態を示し、一部を断面にしてその部分の拡大図を含む底面図である。
【図５Ａ】図３のＡ−Ａ線断面図である。
【図５Ｂ】図３のＢ−Ｂ線断面図である。
【図６Ａ】図５ＡのＥ部拡大図である。
【図６Ｂ】図５ＢのＦ部拡大図である。
【図７】一部拡大図を含む図３のＣ−Ｃ線断面図である。
【図８】一部拡大図を含む図４のＤ−Ｄ線拡大断面図である。
【図９】図８のＧ−Ｇ線矢示方向の拡大一部断面図である。
【図１０】封印部を分解して示す制御装置の斜視図である。
【図１１】図１０の反対側から見た状態（封印シール省略）を示す制御装置の斜視図である。
【図１２】カバー部材とシール破断板を示す斜視図である。
【図１３】図７の一部を拡大して封印シールで封印する手順を示す断面図である。
【図１４】カバー部材を装着する直前の状態を示す図５ＡのＥ部相当断面図である。
【図１５】（ａ）は封印シールの表面図、（ｂ）は封印シールの裏面図である。
【図１６Ａ】図５Ａからカバー部材を遊び相当分移動させた状態を示す断面図である。
【図１６Ｂ】図５Ｂからカバー部材を遊び相当分移動させた状態を示す断面図である。
【図１７Ａ】図１６Ａからカバー部材をさらに移動させた状態を示す断面図である。
【図１７Ｂ】図１６Ｂからカバー部材をさらに移動させた状態を示す断面図である。
【図１８Ａ】図１７Ａからカバー部材をさらに移動させて完全に外した状態を示す断面図である。
【図１８Ｂ】図１７Ｂからカバー部材をさらに移動させて完全に外した状態を示す断面図である。
【図１９】図７の一部を拡大してカバー部材を完全に外した状態を示す断面図である。
【図２０】後面側から見た遊技機の裏面図である。
【図２１】他の形態を示す制御装置の一部拡大正面図である。
【図２２】他の形態を示す図５Ａ相当断面図である。
【発明を実施するための形態】
【００１０】
以下に本発明の実施の形態を遊技機の１種であるパチンコ機により説明する。
なお、便宜上、遊技機は、遊技者側を前、反対側を後として説明する。また、その遊技機に装着された後述する制御装置は、設置状態を基準として遊技者側（遊技者に近い側）を前、反対側を後とし、図面上に「前」、「後」、「上」、「下」を参考表記した。
【００１１】
［遊技機全体］
遊技機は、図２０に示したように、四角い枠状の外枠１と、その外枠１の前面に横開きの扉状に取り付けた前枠２と、その前枠２の後面に取り付けた機構盤３と、を有する。前記機構盤３は、前枠２に着脱交換可能な状態に装着された遊技板（図示せず）の後面を覆うように取り付けられており、遊技球を貯留する球タンク４と、その球タンク４の遊技球を下方に流す導出樋５と、その導出樋５の遊技球を入賞の景品として遊技者に放出する景品球放出装置６と、を備え、さらに下側に遊技に関わる制御を行う制御装置７を備えている。
【００１２】
［制御装置］
前記制御装置７は、開閉可能な蓋付き箱構造である基板ボックス８に、図示しないがＣＰＵやメモリー等の電子部品を搭載した制御基板９（例えば図５Ａ，図５Ｂ参照）を収納したものであり、機構盤３に対して着脱可能になっている。
【００１３】
［基板ボックス］
前記基板ボックス８は、蓋付き箱の「身」に相当するベース体１０と、蓋付き箱の「蓋」に相当する蓋体１１とから概略構成される。
前記ベース体１０は、例えばポリカーボネート等の透明な合成樹脂製であって、前記機構盤３に当接する横長長方形状の前面板１２と、該前面板１２から後ろ向きに突設した側壁１３とからなり、後面開口状になっている。
一方、蓋体１１は、例えばポリカーボネート等の透明な合成樹脂製であって、横長長方形状の後面板１４と、該後面板１４から前向きに突設した側壁１５と、該側壁１５の内側に形成した内壁１５ａとからなり、前面開口状になっている。
かかるベース体１０と蓋体１１は、ベース体１０の側壁１３の開口サイズが蓋体１１の側壁１５の開口サイズより一回り小さくなっており、したがってベース体１０の側壁１３の外側に蓋体１１の側壁１５が被さり、また、ベース体１０の側壁１３の内側に蓋体１１の内壁１５ａが沿う状態で嵌まり合う。
【００１４】
ベース体１０と蓋体１１の図３，図４において左横の側壁１３，１５は、接合・分離可能な蝶番構造になっている。具体的には、図４の部分断面及びその拡大図に示したように、ベース体１０の側壁１３に逆さＵ溝状の袋部１６を設け、一方、蓋体１１の側壁１５にＬ形鉤部１７を設け、この蓋体１１のＬ形鉤部１７をベース体１０の袋部１６に回り込ませつつ係合させることにより、蓋体１１をベース体１０に対して回動可能に支持し且つ分離可能に接合している。なお、蓋体１１の図３において右横の側壁１５には、蓋体１１の開閉を容易にする摘み片１８が中央位置に突設されている。
【００１５】
［封印手段］
また、ベース体１０と蓋体１１の図３において右側の側壁１３，１５には、ベース体１０と蓋体１１とを接合して封印し且つ封印解除に際してベース体１０及び蓋体１１の一部を破壊する封印手段１９が形成されている。
具体的には、図２，図３に示したように、蓋体１１の封印突部２０とベース体１０の封印突部２１を整合させ、蓋体１１上に丸囲いの「１」と刻印されている四角い凹み部分２２ａ，２２ａにネジ（図示せず）を通して両者を接合し、さらにその凹み部分２２ａ，２２ａに栓部材（図示せず）を詰めて前記ネジが外せないように封印し、そうして封印解除に際してベース体１０と蓋体１１の図２，図３に符合ｚで示した脆弱部分をニッパ等の工具で破断する。
なお、封印手段１９には蓋体１１上に丸囲いの「２」と刻印されている第２の凹み部分２２ｂ，２２ｂが形成されており、正規な検査等のために前記脆弱部分ｚを破断して蓋体１１を開いた場合でも第２の凹み部分２２ｂ，２２ｂを使って再度封印し得るようになっている。
【００１６】
また、ベース体１０と蓋体１１の図３において長手方向下側の側壁１３，１５は、図８，図９に示したように２本のネジ２３，２３で接合されている。具体的には、図９に示したように、蓋体１１の後面板１４を下方に延設して前記ネジ２３，２３挿通用の皿孔２４を有するネジ止め用の庇状部２５を形成し、一方、図８，図９に示したようにベース体１０の側壁１３の外面に前記庇状部２５と略整合するネジ受け部２６を突設し、該ネジ受け部２６に形成したネジ受け用のボス部２７に前記庇状部２５の皿孔２４からネジ２３，２３を通し、該ネジ２３，２３の締め付けによってもベース体１０と蓋体１１が接合されている。
【００１７】
なお、実施形態では、図８の拡大図に示したように、ベース体１０のネジ受け部２６のボス部２７を、ネジ受け部２６の外面より外部に膨出してさせて前後方向（図８では奥行き方向）に連続するレール状の膨出部２７ａとしてある。こうすることにより、ネジ止めに必要なボス部２７の肉厚（強度）を損なうことなくネジ受け部２６の厚みが抑制できる効果と、後述するシール破断板２８の凹溝２９に嵌って該シール破断板２８を真っ直ぐ正確に摺動させ得る効果が得られる。
【００１８】
また、前記２本のネジ２３，２３は、図９に示したようにベース体１０と蓋体１１の接合境界部を跨いで貼着される封印シール３０によって頭部２３ａが覆われていて、そのままでは取り外せないように封印されている。
具体的には図９に示したように、蓋体１１の前記庇状部２５から後面板１４の一部に及ぶ凹面部３１を形成し、一方、ベース体１０の前面板１２に前記ネジ受け部２６から後述するシール破断板２８の厚み相当分の間隔を離してシール貼着板３２を突設し、そのシール貼着板３２と蓋体１１の前記凹面部３１に、図１５（ａ）に示したごとく表面中程の警告表示領域３３に例えば「開封禁止」のような表示を施した封印シール３０を貼着する。シール貼着板３２と凹面部３１は略直交する位置関係になっており、したがって封印シール３０は、基板ボックス８の略直交する角部に折曲げ状態で貼着され、その角部で前記警告表示領域３３も略直角に折り曲げられて「開封禁止」の表示が基板ボックス８の後面と下面のいずれからも明確に見えるようになっている。
【００１９】
［封印シール］
前記封印シール３０は、図１５（ａ），（ｂ）に示したように、破断（※鋭い刃物で切り離す場合と、切れの悪いいわゆるなまくらな刃物で突き破るような状態で切り離す場合の双方を含む。以下同じ）可能な紙等の素材で形成されていて横長長方形を基本形状とし全周をギザギザに加工したシール体３４と、該シール体３４の裏面略中央部に配設された非接触型のＩＣチップ３５と、該ＩＣチップ３５に接続されると共に前記シール体３４の略対角線方向に配設され且つ前記ＩＣチップ３５の直近に該ＩＣチップ３５の動作を安定させる動作安定手段３６を設けた細帯状のアンテナ３７と、を有する公知のものであり、ＩＣチップ３５のメモリ領域に記録された識別データを外部のリーダで読み出して制御装置７の真偽を確認するものである。
【００２０】
［封印シール…動作安定手段］
封印シール３０の前記動作安定手段３６は、例えばアンテナ３７の全長５２ｍｍに対し、ＩＣチップ３５の端を起点にして５ｍｍ程度の長さに切り込んだ１本のスリットである。該スリットは、高周波の電波の整合を担う部位であり、非接触型のＩＣチップ３５に格納されたデータを外部のリーダから安定的に読み出すために設けられている。
ちなみに、本願の発明者が行った実験によれば、アンテナ３７を動作安定手段３６たるスリットの部分で切断したＩＣチップ３５は、たとえアンテナ３７の切断部をつなぎ合わせても機能が回復しないのに対し、アンテナ３７をスリット部分以外の部位で切断したＩＣチップ３５は、アンテナ３７の切断部をつなぎ合わせることで機能が回復する場合があった。
【００２１】
［カバー部材］
前記封印シール３０は、透明なカバー部材３８で防護されている。該カバー部材３８は、図９，図１０に示したように、蓋体１１の前記凹面部３１に嵌って該蓋体１１の後面板１４と面一になる蓋側カバー片３９と、ベース体１０の前記シール貼着板３２の外面に沿うベース側カバー片４０と、該ベース側カバー片４０の両側に突設されて前記シール貼着板３２の両横を囲う横カバー片４１，４１と、該横カバー片４１，４１の外側に突設されたＬ形受片４２，４２と、を備えている。
【００２２】
該カバー部材３８は、図７，図１３に示したように、ガイド手段によって取付け・取外し方向が前後方向に規制された状態で基板ボックス８に取り付けられている。
【００２３】
具体的なガイド手段は、図７，図１３に示したように、蓋体１１の庇状部２５の両横に突設した蓋側ガイド片４３，４３と、ベース体１０の前面板１２から突設して前記蓋側ガイド片４３，４３に対向するベース側ガイド片４４，４４と、ベース体１０の前面板１２と側壁１３から外向きに突設して前記ベース側ガイド片４４，４４の回りを囲うカバー受け４５と、から構成されており、図１３に示したように、カバー部材３８の横カバー片４１，４１の内面に前記蓋側ガイド片４３，４３とベース側ガイド片４４，４４の外面が当接してカバー部材３８の横方向への動きを規制し、また、カバー部材３８のベース側カバー片４０を蓋側ガイド片４３，４３とベース側ガイド片４４，４４の各端面とベース体１０のカバー受け４５の間に挟んでカバー部材３８の上下方向（図７，図１３では紙面と直交する方向）への動きを規制し、もってカバー部材３８の取付け・取外し方向を前後方向に規制する。
【００２４】
また、ガイド手段は、図７の拡大図に実線と想像線で示したように、前記ベース側ガイド片４４に弾性変形可能な鍵片４６を有しており、該鍵片４６をカバー部材３８の前記横カバー片４１に開設した係止孔４７に係合させることによってカバー部材３８を固定する。
【００２５】
この固定状態でカバー部材３８は、図９に示したように、蓋側カバー片３９が蓋体１１の前記凹面部３１に嵌っているため指を引っ掛けて引っ張るような場所がなく、また、カバー部材３８の前端も前記カバー受け４５で囲われているため指を引っ掛けて引っ張るような場所がなく、さらに前記係止孔４７に係合した鍵片４６は外部から係合を解除する手段もない。よってカバー部材３８は取外しが困難である。このこと自体は、カバー部材３８によって封印シール３０を防護するという観点からは都合がよい。しかし一方、カバー部材３８は、正規の検査を行うとき等に取外し得るようにしておく必要がある。そこで実施形態では、カバー部材３８の両横に突設した前記Ｌ形受片４２，４２との間に僅かな隙間ｔを設けてベース体１０に台板４８，４８を突設し、その台板４８，４８とＬ形受片４２，４２との間にマイナスドライバー等の工具を差し込んで梃子作用により大きな力が加えられるようになし、その力で前記鍵片４６と係止孔４７の係合が強制解除できるようになっている。換言すれば、実施形態のカバー部材３８は、工具による大きな力を加えた場合にのみ、ガイド手段によって規制された方向に摺動させて取り外し得るようになっている。
【００２６】
なお、図１０，図１１において符合４９は蓋体１１の前記凹面部３１に突設した凸条であり、該凸条４９によって封印シール３０の貼着領域を明確にすると共に、封印シール３０の表面とカバー部材３８の蓋側カバー片３９との間に適度な隙間を設けて封印シール３０の表面がカバー部材３８で擦れて傷むことを防止する。一方、該凸条４９を設けたことによりこれに近い側のカバー部材３８の端を凹面部３１に押し付けるとその凸条４９を支点としてカバー部材３８の反対側の端が浮き上がるため、これを防止すべくカバー部材３８の蓋側カバー片３９の側縁に図１２に示したように前記凸条４９と略同じ高さの枕片５０が突設されている。ちなみに、カバー部材３８の蓋側カバー片３９の端の浮き上がりは、蓋側カバー片３９と蓋体１１の間に工具を差し込んで蓋側カバー片３９を破壊し、そうして露出した封印シール３０を溶剤等で剥がしてその下のネジ２３，２３を外す、という不正につながるおそれがあって好ましくない。
【００２７】
［封印シールの破断］
実施形態では、前記カバー部材３８を取り外す操作に連動して封印シール３０が破断され、もって不正なカバー部材３８の取外しに対しては封印シール３０の封印が解除されたという痕跡を残し、一方、カバー部材３８の必要な取外しに対しては封印シール３０が剥がれやすくなるようにしている。
【００２８】
具体的には、図１０〜図１３に示したように前記ネジ受け部２６とシール貼着板３２と、ベース側ガイド片４４，４４及び蓋側ガイド片４３，４３と、カバー受け４５と、で互いに直交する５面が仕切られた幅狭の空間を形成して格納部５１とし、該格納部５１に図１３矢示Ｉに示したようにシール破断板２８を格納すると共に該シール破断板２８とカバー部材３８とを連結手段で連結し、そうしてカバー部材３８に連動してシール破断板２８が該カバー部材３８の取外し方向に連動して摺動するようになっている。
【００２９】
［シール破断板］
シール破断板２８は、図７，図８に示したように、前記格納部５１にすっぽり収まる形状で尚且つ赤色等などに着色された透明な合成樹脂板（着色することにより入れ忘れが防止できる。）であり、前記封印シール３０の長手辺と略平行に配置されて該長手辺より大きい長さを有する主板部５３と、該主板部５３の中間の前記封印シール３０側の端部に位置して該主板部５３と直角に交差し封印シール３０の短手辺と略平行に配置された副板部５４と、カバー部材３８と連結するための前記連結手段を構成するワンウェイクラッチ爪５５，５５と、を有する。
【００３０】
［シール破断板…主板部］
前記主板部５３は、格納部５１に格納した状態で前記封印シール３０の折曲げ部付近の直下に位置しており、該封印シール３０の裏面に対向する端縁が略Ｗ字状に形成されている。また、主板部５３の端縁は、鋭角で尖った先端を平らにして切れ味を落としたなまくらな刃状部５６になっている。したがって刃状部５６によって手を切るおそれがなく、且つ、切り口が適度に荒れるため復元が困難になる。
【００３１】
［シール破断板…副板部］
前記副板部５４は、前記主板部５３の山の頂部にあって、前記格納部５１に格納した状態で封印シール３０の短手辺と略平行になる状態に形成されている。この副板部５４は、封印シール３０のアンテナ３７の動作安定手段３６の位置に合わせるべく中央より若干ずれた位置にある。封印シール３０の中央にはＩＣチップ３５があるからである。また、副板部５４の端縁は、主板部５３の端縁と同じく鋭角で尖った先端を平らにして切れ味を落としたなまくらな刃状部５７になっているが、端縁全体を真っ直ぐ斜めにしてあたかも彫刻刀の印刀（「切り出し刀」ともいう。）のような形にすることによって、封印シール３０を突き上げる力が刃状部５７の一点に集中するようにしてある。
【００３２】
［シール破断板…ワンウェイクラッチ爪］
前記ワンウェイクラッチ爪５５，５５は、図１０に示したようにシール破断板２８の主板部５３の両横に形成され、図１６Ａに示したようにカバー部材３８のベース側カバー片４０に向けて傾斜状に垂下させた弾性変形可能な部材である。一方、前記カバー部材３８のベース側カバー片４０の内面には、該カバー部材３８の取外し方向の摺動時にのみ前記ワンウェイクラッチ爪５５，５５に係合し得るフック片５８，５８が突設されており、該フック片５８，５８と前記ワンウェイクラッチ爪５５，５５とにより連結手段が構成され、該連結手段によってシール破断板２８とカバー部材３８が連結される。
【００３３】
［ペアの識別］
さらに実施形態の基板ボックス８は、図１，図２，図３等に示したように、前記蓋体１１の後面板１４に形成された蓋体表示部５９と、前記ベース体１０に形成され蓋体表示部５９と近接位置に配設されたベース体表示部６０と、を備え、蓋体表示部５９とベース体表示部６０のそれぞれに視覚を通じて互いのペアを確認し得る識別マーク６１を形成してなる。
【００３４】
前記蓋体表示部５９は、図１，図２，図３に示したように、蓋体１１の後面板１４の側縁寄りの位置であって前記カバー部材３８の横に形成されている。
一方、前記ベース体表示部６０は、蓋体１１の前記側壁１５の外側沿いにベース体１０の前面板１２から脚壁６２を突設すると共に該脚壁６２に前記蓋体表示部５９の表示面と略平行で且つ該蓋体表示部５９と正視状態で並んで見える位置、例えば蓋体表示部５９と横並びでほぼ同じ高さ位置に形成されている。
また、識別マーク６１は、例えば数字、文字、記号又はそれらの組み合わせであって、視覚を通じて互いのペア、つまり工場出荷段階から嵌め合わさっていたベース体１０と蓋体１１同士であることを確認し得るものならどのようなものでもよい。最も簡単な識別マーク６１は、図１，図２，図３に示したように同一の数字であり、これを蓋体表示部５９とベース体表示部６０に２段表記のような状態に並べれば、一目でベース体１０と蓋体１１の一致・不一致が分かる。両表字部５９，６０が近接位置に配設されていることより、識別マーク６１を一時的に記憶する必要もない。
識別マーク６１は、数字以外にもローマ字、ギリシャ文字、漢字、片仮名等の文字や、丸、三角、四角などの記号を同一にして並べてもよい。或は同一でなくとも、例えば蓋体表示部５９とベース体表示部６０に連続する数字を表示するようにしてもよい。なお、識別マーク６１は視覚を通じて確認し得るものであることから、日常の簡単な目視チェックで確認可能であり、したがってバーコードのような外部のリーダによって識別可能なものを含まない。
【００３５】
また、実施形態では、図１，図２，図３に示したように、前記カバー部材３８にも蓋体表示部５９と同様のカバー部材表示部６３が設けられ、該カバー部材表示部６３に前記識別マーク６１が形成されている。このカバー部材表示部６３は、蓋体表示部５９の横に形成して、蓋体表示部５９とカバー部材表示部６３とカバー部材表示部６３が１箇所に集中配置されている。
前記のようにカバー部材３８は、例えばカバー部材３８の蓋側カバー片３９を破壊して封印シール３０を剥がす手口で不正が行われる可能性があり、そうした不正が前記識別マーク６１を確認することで容易に発見できる。
【００３６】
なお、カバー部材表示部６３は、実施形態のように蓋体表示部５９とベース体表示部６０とセットで実施するのが最も効果的であるが、例えばカバー部材表示部６３と蓋体表示部５９、或はカバー部材表示部６３とベース体表示部６０というように組合せを限定しても、カバー部材３８の破壊防止効果は享受できる。
【００３７】
また、前記識別マーク６１は、レーザー照射で刻印を施すレーザーマーカーやインクジェットプリンタで形成できるが、好ましくは、ベース体１０に蓋体１１を組付け、さらにカバー部材３８を装着した後に施すとよい。もちろんベース体１０と蓋体１１とカバー部材３８のそれぞれに識別マーク６１を施してからそれらを組み付けるようにしてもよいが、ペアを組む識別マーク６１の各要素を集合させて間違いなく組み付けるには高度な管理システムを必要とする。これに対し各要素を組み付けた後、それぞれの表示部５９，６０，６３に識別マーク６１を施す製造方法を採用すれば、高度な管理システムを要することなく高い信頼度で識別マーク６１が活用できる。
【００３８】
［その他］
図１，図２等において符合６４，６４…は、ベース体１０の図３において長手方向上側の側壁１３全体と、長手方向下側の前記カバー受け４５及び脚壁６２を除く側壁１３の外側に突設した短片状の防護壁であり、蓋体１１の側壁１５の外側を覆うことによってベース体１０と蓋体１１の間をこじ開けようとする異物が差し込めないようになっている。
【００３９】
［基板ボックスの組み立て］
以上の構成である基板ボックス８は、まずベース体１０に制御基板９を装着し、その上に蓋体１１を被せ、前記封印手段１９のネジを締めてベース体１０と蓋体１１を接合し、さらに封印手段１９の四角い凹み部分２２ａ，２２ａに栓部材を詰めて封印する。また、ネジ受け部２６に２本のネジ２３，２３を締め込んで、ここでもベース体１０と蓋体１１を接合する。
【００４０】
［シール破断板の格納］
次に、図１３矢示Ｉのように、ベース体１０の格納部５１にシール破断板２８を格納する。なお、蓋体１１の庇状部２５とネジ受け部２６及びベース体１０のシール貼着板３２には、凹欠部６５が形成されており、該凹欠部６５にシール破断板２８の副板部５４が収まる。この凹欠部６５によってシール破断板２８の副板部５４を正確に位置決めすることができる。
【００４１】
［封印シールの貼着］
次に、図１３矢示IIのように封印シール３０を蓋体１１の凹面部３１とシール貼着板３２に折曲げ状態にして貼る。この状態で前記ネジ２３，２３の頭部２３ａが封印シール３０で覆われ、また、格納部５１の上の開口が封印シール３０で覆われる。したがってシール破断板２８の主板部５３の刃状部５６が封印シール３０の裏側に対向し、尚且つ、シール破断板２８の副板部５４が封印シール３０のアンテナ３７のさらに動作安定手段３６の裏側に対向する。
【００４２】
［カバー部材の装着］
次に、図１３矢示IIIのようにカバー部材３８をガイド手段に沿って摺動させて基板ボックス８に装着する。このときカバー部材３８の横カバー片４１に押されて図７の拡大図に想像線で示したようにベース体１０のベース側ガイド片４４（厳密に言えば、鍵片４６と一体の棒状部分）が弾性変形して内方に逃げ、カバー部材３８の押し込みが完了した時点で前記鍵片４６が横カバー片４１の係止孔４７に自己の弾性で復動して係合する。
一方、カバー部材３８をガイド手段に沿って摺動させるとき、フック片５８，５８がシール破断板２８のワンウェイクラッチ爪５５，５５の反爪面側を押し込みながら弾性変形させつつこれを乗り越える。そして、カバー部材３８のフック片５８，５８がワンウェイクラッチ爪５５，５５を通過した直後に該ワンウェイクラッチ爪５５，５５が自己の弾性により復動して図６Ａのようにカバー部材３８のフック片５８，５８と噛合可能な状態に向かい合う。
【００４３】
この状態で制御装置７を遊技機の機構盤３に装着して使用すれば、日常的に基板ボックス８の蓋体表示部５９とベース体表示部６０とカバー部材表示部６３の識別マーク６１を確認する程度で不正改造等がチェックできる。また、これに加えて外部のリーダによって封印シール３０のＩＣチップ３５から情報を読み取るようにすればさらに制御装置７の不正チェックの精度が向上する。
【００４４】
［カバー部材の取外し］
次に、正規の検査等によりカバー部材３８を取り外す場合について説明する。
前記のようにカバー部材３８は、強固に接合され、また、工具を差し込む隙間がカバー部材３８の両横のＬ形受片４２，４２とベース体１０の台板４８，４８の間の隙間ｔに限定されているため、該隙間ｔにマイナスドライバー等の工具の先を差し込んで梃子作用により間隔ｔを広げる方向に大きな力を加える。この力で前記鍵片４６と係止孔４７の係合が強制解除されカバー部材３８が取り外し方向に摺動する。このカバー部材３８の摺動により図１６Ａのようにカバー部材３８のフック片５８，５８とワンウェイクラッチ爪５５，５５が噛み合う。なお、実施形態では図１に示したように隙間ｔの横幅をマイナスドライバーが入る程度の大きさに規制する障壁５２が設けてあり、該障壁５２によってコイン等による安易な操作が行えないようにしてある。
【００４５】
次に、カバー部材３８をさらに摺動させると図１７Ａのようにフック片５８，５８とワンウェイクラッチ爪５５，５５が完全に噛合してシール破断板２８が図１７Ｂのように一緒に摺動する。このシール破断板２８の摺動によって副板部５４の刃状部５７が封印シール３０を突き破ってアンテナ３７の動作安定手段３６を確実に破断し、復活の可能性を絶つ。
【００４６】
なお、実施形態では、副板部５４を封印シール３０の短手辺と略平行に配置したことで、封印シール３０の動作安定手段３６を副板部５４で破断する精度が高くなっている。その理由は、図１５（ｂ）に示したように副板部５４を封印シール３０の短手辺と略平行に配置した場合には、長さＬの範囲内のどこを切断してもよいが、もし副板部５４を封印シール３０の長手辺と略平行に配置した場合には、それより狭い長さＳの範囲内で切断する必要があるためである。このことは封印シール３０の貼着を手作業で行う場合の作業性の向上に好影響をもたらす。
【００４７】
次に、さらにカバー部材３８を摺動させると副板部５４に続いて主板部５３の刃状部５６が封印シール３０に当たる。封印シール３０には副板部５４によって既に異方向の裂け目が入っているため、主板部５３がその裂け目に分け入ることによって比較的簡単に破断し、しかも十字状に破れて見た目にも再使用が困難な状態に破断する。これにより図１８Ａ，図１８Ｂ，図１９のようにシール破断板２８がカバー部材３８と一体になった状態で格納部５１から抜ける。
【００４８】
その後、前記封印手段１９の図２，図３の符合ｚで示した脆弱部分をニッパ等の工具で破断し、そうしてベース体１０から蓋体１１を外して制御基板９の検査を実施する。そして検査が終了した後は、前記の要領でベース体１０に蓋体１１を被せて第２の凹み部分２２ｂ，２２ｂを使って再度封印し、新しい封印シール３０に交換してカバー部材３８を装着する。
【００４９】
［不正行為］
実施形態の制御装置７に対し、不正者が、ベース体１０から蓋体１１を外して制御基板９を不正なものと交換するには、カバー部材３８を取り外すか、カバー部材３８を破壊するかの何れかの方法による他ない。
もし、カバー部材３８が取り外された場合は、上記のように封印シール３０がアンテナ３７の動作安定手段３６の部位で破断するため、ＩＣチップ３５が機能せず、且つ、封印シール３０の破断態様も十字状で見た目に判りやすく、しかも破断箇所が蓋体１１の後面板１４側になるため、図２０のような設置状態に対して真後ろに立った姿勢のまま容易に発見できる。加えて封印シール３０の破断箇所が折曲げ部沿いの部位であるため、仮に破断した封印シール３０を貼り直しても曲がった部位若しくはその近くでの貼り直しは、平面での貼り直しに比べて切り口が浮きやすく、発見しやすい。
一方、カバー部材３８が破壊されて封印シール３０が溶剤等で剥がされた場合には、封印シール３０は再使用できてもカバー部材３８を別の基板ボックス８から調達して付け替える必要があるため、カバー部材３８のカバー部材表示部６３の識別マーク６１を蓋体１１の蓋体表示部５９の識別マーク６１と照合することで簡単に発見できる。
よって実施形態の制御装置７は、優れた防犯性能を有する。
【００５０】
以上、本発明を実施の形態について説明したが、もちろん上記実施形態は好ましい例を示したものであり、実施形態の構成の一部を備えるだけでも従来との比較において優れた防犯効果を発揮する。
また、実施形態は遊技機としてパチンコ機を例示したが、スロットマシン、その他の遊技機にも同様に適用できる。
また、実施形態に示した封印手段１９は公知の一例を示したものであり、ベース体１０と蓋体１１とを接合した状態で封印し且つ封印解除に際してベース体１０又は蓋体１１の一部の破壊を要するものであればどのようなものでもよい。また、実施形態で説明したネジ２３と封印シール３０とカバー部材３８の組み合わせも封印手段の一種であり、したがって実施形態の封印手段１９はなくてもよい。もちろん封印手段を多くするほど防犯性能が高まることは言うまでもない。
また、実施形態では、シール破断板２８の刃状部５６，５７をなまくら刃にしたが、鋭角の鋭い刃先にしてももちろんよい。
【００５１】
また、実施形態では、蓋体１１とベース体１０とカバー部材３８に識別マーク６１を設けたが、図２１に示したようにカバー部材３８に窓部６６を形成し、該窓部６６を使って封印シール３０にも同様の識別マーク６１を表示するようにしてもよい。そうすることにより封印シール３０の真偽も目視でチェックすることができる。
【００５２】
また、実施形態では、カバー部材３８とシール破断板２８を連結する連結手段をワンウェイクラッチ爪５５，５５とフック片５８，５８で形成したが、例えば図２２に示したようにカバー受け４５に開設した透孔６７からカバー部材３８とシール破断板２８にリベット６８を通して接着するなど、どのようなものであってもよい。
【００５３】
上記実施形態の記載より、次のような他の技術的思想Ａ，Ｂが抽出できる。
［他の技術的思想Ａ］
制御基板が収納された基板ボックスを備え、
前記基板ボックスは、設置時の状態で遊技者側を前、反対側を後としたとき、
前側に位置する前面板に側壁を突設して後面開放状にしたベース体と、
後側に位置する後面板に側壁を突設して前面開放状となし前記ベース体に嵌め合わせて接合される蓋体と、
前記ベース体と前記蓋体とを接合した状態で境界部に跨るように貼着して封印する封印シールと、
装着状態で前記封印シールを覆うと共にガイド手段によって取外し方向が所定の摺動方向に規制されたカバー部材と、を有し、
前記基板ボックスは、
前記封印シールの裏側対向位置に設けた格納部と、
該格納部内に前記カバー部材の取外し方向と同方向に摺動し得るように格納されたシール破断板と、を備えており、
該シール破断板は、
前記封印シールを横断する長さを有する主板部と、
該主板部の中間の前記封印シール側の端部に位置して該主板部と交差する副板部と、を備えており、
前記格納部に格納した状態で連結手段により前記カバー部材に連結され、そうして該カバー部材に連動して前記取外し方向に摺動するようになし、さらにその摺動により前記封印シールを破断して前記格納部から引き出されるようにした遊技機。
【００５４】
この技術的思想Ａの遊技機は、封印シールを覆っているカバー部材を基板ボックスから外すと、そのカバー部材の取り外しに連動してシール破断板が格納部から引き出され、その際封印シールが破断される。そして、この破断状態は、主板部と該主板部に交差する副板部により複雑な状態に破れて見た目にも再使用が困難な状態になる。したがって、封印シールを綺麗に剥がして貼り戻すという手口の不正行為が困難になり、また、仮に貼り戻しても発見が容易である。よって制御装置の不正防止性能が向上し、惹いては遊技機の防犯性能が向上する、という効果を有する。
【００５５】
［他の技術的思想Ｂ］
制御基板が収納された基板ボックスを備え、
前記基板ボックスは、設置時の状態で遊技者側を前、反対側を後としたとき、
前側に位置する前面板に側壁を突設して後面開放状にしたベース体と、
後側に位置する後面板に側壁を突設して前面開放状となし前記ベース体に嵌め合わせて接合される蓋体と、
前記ベース体と前記蓋体とを接合した状態で境界部に跨るように貼着して封印する封印シールと、
装着状態で前記封印シールを覆うと共にガイド手段によって取外し方向が所定の摺動方向に規制されたカバー部材と、を有し、
前記封印シールは、
破断可能な素材で形成されていて横長長方形を基本形状とするシール体と、
該シール体の略中央部に配設された非接触型のＩＣチップと、
該ＩＣチップに接続されると共に前記シール体の略対角線方向に配設され且つ前記ＩＣチップの直近に該ＩＣチップの動作を安定させる動作安定手段を設けた細帯状のアンテナと、を備え、
前記基板ボックスは、
前記封印シールの裏側対向位置に設けた格納部と、
該格納部内に前記カバー部材の取外し方向と同方向に摺動し得るように格納されたシール破断板と、を備えており、
該シール破断板は、
前記封印シールを横断する長さを有する主板部と、
該主板部の中間の前記封印シール側の端部に位置して該主板部と交差する副板部と、を備えており、
前記主板部を前記封印シールの長手辺と略平行に配置すると共に前記副板部を前記封印シールの短手辺と略平行に配置し、さらに副板部を前記アンテナの動作安定手段の裏側に対向させて前記格納部内に格納したものであり、
また、シール破断板は、前記格納部に格納した状態で連結手段により前記カバー部材に連結され、そうして該カバー部材に連動して前記取外し方向に摺動するようになし、さらにその摺動により前記封印シールを破断して前記格納部から引き出されるようにした遊技機。
【００５６】
この技術的思想Ｂの遊技機は、封印シールを覆っているカバー部材を基板ボックスから外すと、そのカバー部材の取り外しに連動してシール破断板が格納部から引き出され、その際封印シールが破断される。そして、この破断状態は、主板部と該主板部に交差する副板部により複雑な状態に破れて見た目にも再使用が困難な状態になる。また、シール破断板の副板部により、封印シールのアンテナの動作安定手段が確実に破断されるため、機能面での復活の可能性も困難な状態になる。したがって、封印シールを綺麗に剥がして貼り戻すという手口の不正行為が困難になり、また、仮に貼り戻しても発見が容易である。よって制御装置の不正防止性能が向上し、惹いては遊技機の防犯性能が向上する、という効果を有する。
【符号の説明】
【００５７】
７  …制御装置
８  …基板ボックス
９  …制御基板
１０…ベース体
１１…蓋体
１２…前面板
１３…ベース体の側壁
１４…後面板
１５…蓋体の側壁
２８…シール破断板
３０…封印シール
３８…カバー部材
４３…蓋側ガイド片（ガイド手段）
４４…ベース側ガイド片（ガイド手段）
４５…カバー受け（ガイド手段）
５１…格納部
５５…ワンウェイクラッチ爪（連結手段）
５８…フック片（連結手段）
【図１】
0005975495.tif 000002
【図２】
0005975495.tif 000003
【図３】
0005975495.tif 000004
【図４】
0005975495.tif 000005
【図５Ａ】
0005975495.tif 000006
【図５Ｂ】
0005975495.tif 000007
【図６Ａ】
0005975495.tif 000008
【図６Ｂ】
0005975495.tif 000009
【図７】
0005975495.tif 000010
【図８】
0005975495.tif 000011
【図９】
0005975495.tif 000012
【図１０】
0005975495.tif 000013
【図１１】
0005975495.tif 000014
【図１２】
0005975495.tif 000015
【図１３】
0005975495.tif 000016
【図１４】
0005975495.tif 000017
【図１５】
0005975495.tif 000018
【図１６Ａ】
0005975495.tif 000019
【図１６Ｂ】
0005975495.tif 000020
【図１７Ａ】
0005975495.tif 000021
【図１７Ｂ】
0005975495.tif 000022
【図１８Ａ】
0005975495.tif 000023
【図１８Ｂ】
0005975495.tif 000024
【図１９】
0005975495.tif 000025
【図２０】
0005975495.tif 000026
【図２１】
0005975495.tif 000027
【図２２】
0005975495.tif 000028